(57)【要約】      （修正有）【課題】  現在の使用状況に対応したバッテリの使用残時間を計算し、２つの表示手段の少なくとも一方に表示させる。【解決手段】  ビデオカメラ６０は、バッテリ残容量情報と充放電電流検出情報とバッテリセル電圧検出情報とを出力するバッテリパック１が装着され、バッテリパック１からの各情報を受信する通信回路６５と受信したバッテリパック１からの各情報に基づいて現在のバッテリ残量を計算する計算回路６６と計算結果に基づいて表示信号を生成する表示制御回路６７とパネル・ＥＦＶ制御回路６８とを備えるマイコン６３、液晶パネル１０１とビューファインダ（ＥＦＶ）１０２を有する表示デバイス６４、及び液晶パネル１０１の開閉を検出するパネル開閉スイッチ７９を備える。パネル・ＥＦＶ制御回路６８は、パネル開閉スイッチ７９の検出結果により、液晶パネル１０１及びビューファインダ１０２の少なくとも一方にバッテリの使用残時間を表示させる。【選択図】  図１
2006058292.tif 000002
【特許請求の範囲】
【請求項１】
バッテリ残容量情報と、充放電電流検出情報と、バッテリセル電圧検出情報とを出力するバッテリパックが装着され、
上記バッテリパックからの上記各情報を受信する通信手段と、
上記通信手段により受信された上記充放電電流検出情報と上記バッテリセル電圧検出情報とに基づき消費電力を計算するとともに、当該消費電力と自ら保有する消費電力に依存する係数と上記バッテリ残容量情報とに基づき現在の使用状況に対応したバッテリ使用残時間を計算する演算手段と、
第１の表示手段と、
本体に対して開閉可能な第２の表示手段と、
上記第２の表示手段の開閉状態を検出する第１の検出手段と、
上記第１の検出手段の検出結果に応じて、上記第１の表示手段と上記第２の表示手段のうち少なくとも一方に上記演算手段からの上記バッテリ使用残時間を表示させるよう制御を行う選択制御手段と
を備えることを特徴とするバッテリ使用残時間表示機能付き電子機器。
【請求項２】
上記第２の表示手段の反転の有無を検出する第２の検出手段をさらに備え、
上記選択制御手段は、上記第１及び第２の検出手段の検出結果に応じて制御を行うことを特徴とする請求項１記載のバッテリ使用残時間表示機能付き電子機器。
【請求項３】
上記第１の表示手段へのユーザの接眼の有無を検出する第３の検出手段をさらに備え、
上記選択制御手段は、上記第１及び第３の検出手段の検出結果に応じて制御を行うことを特徴とする請求項１記載のバッテリ使用残時間表示機能付き電子機器。
【請求項４】
上記電子機器本体はパワーセーブモードを有し、
上記パワーセーブモードの設定の有無を検出する第４の検出手段をさらに備え、
上記選択制御手段は、上記第１及び第４の検出手段の検出結果に応じて制御を行うことを特徴とする請求項１記載のバッテリ使用残時間表示機能付き電子機器。
【請求項５】
上記第１の表示手段はビューファインダであり、上記第２の表示手段は液晶パネルであることを特徴とする請求項１記載のバッテリ使用残時間表示機能付き電子機器。
【請求項６】
バッテリパックに内蔵されたバッテリセルのバッテリ残容量情報と、充放電電流検出情報と、バッテリセル電圧検出情報とを上記バッテリパックからバッテリを使用する電子機器側に送信し、
第１の表示手段及び本体に対して開閉可能な第２の表示手段を有する電子機器側では、上記送信された上記充放電電流検出情報と上記バッテリセル電圧検出情報とに基づき消費電力を計算すると共に、当該消費電力と自ら保有する消費電力に依存する係数と上記バッテリ残容量情報とに基づき現在の使用状況に対応したバッテリ使用残時間を計算する演算工程と、
上記第２の表示手段の開閉状態を第１の検出手段により検出する検出工程と、
上記第１の検出手段の検出結果に応じて、上記第１の表示手段と上記第２の表示手段のうち少なくとも一方に上記演算手段からの上記バッテリ使用残時間を表示させるよう制御を行う選択制御工程と
を有することを特徴とするバッテリ使用残時間の表示方法。
【請求項７】
上記第２の表示手段の反転の有無を検出する第２の検出手段をさらに備え、
上記選択制御工程では、上記第１及び第２の検出手段の検出結果に応じて制御を行うことを特徴とする請求項６記載のバッテリ使用残時間の表示方法。
【請求項８】
上記第１の表示手段へのユーザの接眼の有無を検出する第３の検出手段をさらに備え、
上記選択制御工程では、上記第１及び第３の検出手段の検出結果に応じて制御を行うことを特徴とする請求項６記載のバッテリ使用残時間の表示方法。
【請求項９】
上記電子機器本体はパワーセーブモードを有し、
上記パワーセーブモードの設定の有無を検出する第４の検出手段をさらに備え、
上記選択制御工程では、上記第１及び第４の検出手段の検出結果に応じて制御を行うことを特徴とする請求項６記載のバッテリ使用残時間の表示方法。
【請求項１０】
上記第１の表示手段はビューファインダであり、上記第２の表示手段は液晶パネルであることを特徴とする請求項６記載のバッテリ使用残時間の表示方法。
【発明の詳細な説明】
【技術分野】
【０００１】
本発明は、ビデオカメラ、携帯用電話機、あるいはパーソナルコンピュータ等電子機器の電源として使用されるバッテリパックの使用可能な残時間を表示するバッテリ使用残時間表示機能付き電子機器及びバッテリ使用残時間の表示方法に関するものである。
【背景技術】
【０００２】
従来より、リチウムイオン電池、ＮｉＣｄ電池、ニッケル水素電池等の２次電池で構成されたバッテリパックは周知である。
【０００３】
この周知のバッテリパックには、例えば、バッテリの残量計算や当該バッテリを電源とする電子機器との間の通信を行うためのマイクロコンピュータ（いわゆるマイコン）と、このマイコンの周辺回路、さらに当該マイコンにてバッテリの残量計算等を行うために必要な、バッテリセルの状態検出回路等が内蔵されていることが多い。
【０００４】
従来技術として、特許文献１〜３が知られている。
【０００５】
【特許文献１】特開平４−２９７８号公報
【特許文献２】特開平２−１４６９３６号公報
【特許文献３】特開平２−１９３５３３号公報
【発明の開示】
【発明が解決しようとする課題】
【０００６】
また、上述したようなバッテリパックが装填される各種電子機器には、バッテリの残容量を表示可能な表示デバイスを有することがある。このような表示デバイスを有する従来の電子機器では、例えばバッテリ電源の端子電圧（バッテリパックの端子電圧）からバッテリ残容量を計算して表示することが多い。
【０００７】
しかし、このようにバッテリ残容量をバッテリ電源の端子電圧から計算する方法だと、以下のような問題点がある。
【０００８】
すなわち、第１に、バッテリセルの種類により、放電特性（バッテリ端子電圧−放電電圧）が異なる場合、端子電圧からバッテリ残容量への変換式をバッテリセル毎に持つ必要があり、将来のバッテリセルへの対応が困難である。
【０００９】
第２に、バッテリ残容量表示は、あくまでバッテリを満充電したときの容量を１００とした場合の割合（すなわち％）を示すものであって、ビデオカメラ等の電子機器の使用可能な残時間を知ることはできない。
【００１０】
第３に、上記表示は、放電特性から大まかなレベル（例えば４段階等）での精度で示すことしかなされていないのが現状である。
そこで、本発明は上述したことを考慮してなされたものであり、バッテリセルの種類や将来のバッテリセルへの対応ができ、また、バッテリの使用可能な残時間を知ることができ、さらに表示の精度も高いバッテリ使用残時間表示機能付き電子機器及びバッテリ使用残時間の表示方法を提供することを目的とする。
【課題を解決するための手段】
【００１１】
上述の課題を解決するために、本発明は、バッテリ残容量情報と、充放電電流検出情報と、バッテリセル電圧検出情報とを出力するバッテリパックが装着され、上記バッテリパックからの上記各情報を受信する通信手段と、上記通信手段により受信された上記充放電電流検出情報と上記バッテリセル電圧検出情報とに基づき消費電力を計算するとともに、当該消費電力と自ら保有する消費電力に依存する係数と上記バッテリ残容量情報とに基づき現在の使用状況に対応したバッテリ使用残時間を計算する演算手段と、第１の表示手段と、本体に対して開閉可能な第２の表示手段と、上記第２の表示手段の開閉状態を検出する第１の検出手段と、上記第１の検出手段の検出結果に応じて、上記第１の表示手段と上記第２の表示手段のうち少なくとも一方に上記演算手段からの上記バッテリ使用残時間を表示させるよう制御を行う選択制御手段とを備えることを特徴とする。
【００１２】
ここで、上記上記第２の表示手段の反転の有無を検出する第２の検出手段をさらに備え、上記選択制御手段は、上記第１及び第２の検出手段の検出結果に応じて制御を行うことが挙げられる。また、上記第１の表示手段へのユーザの接眼の有無を検出する第３の検出手段をさらに備え、上記選択制御手段は、上記第１及び第３の検出手段の検出結果に応じて制御を行うことが挙げられる。また、上記電子機器本体はパワーセーブモードを有し、上記パワーセーブモードの設定の有無を検出する第４の検出手段をさらに備え、上記選択制御手段は、上記第１及び第４の検出手段の検出結果に応じて制御を行うことが挙げられる。さらに、上記第１の表示手段はビューファインダであり、上記第２の表示手段は液晶パネルであることが挙げられる。
【００１３】
また、本発明は、バッテリパックに内蔵されたバッテリセルのバッテリ残容量情報と、充放電電流検出情報と、バッテリセル電圧検出情報とを上記バッテリパックからバッテリを使用する電子機器側に送信し、第１の表示手段及び本体に対して開閉可能な第２の表示手段を有する電子機器側では、上記送信された上記充放電電流検出情報と上記バッテリセル電圧検出情報とに基づき消費電力を計算すると共に、当該消費電力と自ら保有する消費電力に依存する係数と上記バッテリ残容量情報とに基づき現在の使用状況に対応したバッテリ使用残時間を計算する演算工程と、上記第２の表示手段の開閉状態を第１の検出手段により検出する検出工程と、上記第１の検出手段の検出結果に応じて、上記第１の表示手段と上記第２の表示手段のうち少なくとも一方に上記演算手段からの上記バッテリ使用残時間を表示させるよう制御を行う選択制御工程とを有することを特徴とする。
【発明の効果】
【００１４】
本発明においては、バッテリパックからのバッテリ残容量情報と充放電電流検出情報とバッテリセル電圧検出情報とを受信し、この受信した各情報に基づいて現在のバッテリ残量を計算し、その計算結果に基づいてバッテリ残量を表示することにより、バッテリセルの種類や将来のバッテリセルであってもバッテリ残量の表示が可能となり、また、バッテリの使用可能な残時間をも表示でき、さらにバッテリ残量の表示精度も向上させることが可能である。また、第２の表示手段の開閉状態を検出して第１の表示手段と第２の表示手段のうち少なくとも一方にバッテリ使用残時間を表示させるよう制御を行うことが可能である。
【発明を実施するための最良の形態】
【００１５】
以下、本発明の実施の形態を図面を参照して詳細に説明する。
【００１６】
図１には、本発明の実施の形態として、バッテリパック１とこのバッテリパック１が装填されるバッテリ残量表示機能付きの電子機器の一例としてのカメラ一体型ビデオテープレコーダ（以下ビデオカメラ６０とする）とからなるシステムの一構成例を示す。
【００１７】
この図１において、上記ビデオカメラ６０は、バッテリ残容量情報と充放電電流検出情報とバッテリセル電圧検出情報とを少なくとも出力するバッテリパック１が装着され、上記バッテリパック１からの上記各情報を受信する通信回路６５と、上記通信回路６５により受信された上記バッテリパック１からの上記各情報に基づいて現在のバッテリ残量を計算する計算回路６６と、上記計算回路６６の計算結果に基づいて表示信号を生成する表示制御回路６７とを少なくとも備えるマイクロコンピュータ（以下、マイコンと言う）６３と、マイコン６３の上記計算回路６６における計算結果に応じた表示信号が供給され、この表示信号から上記バッテリ残量を表示する表示デバイス６４とを有するものである。なお、ビデオカメラ６０は、撮影のための構成や撮影した映像信号を記録／再生するための各種構成を有するが、図１の例では本発明の主要構成要素としてマイコン６３と表示デバイス６４等を図示している。
【００１８】
一方、バッテリパック１には、上記マイコン１０と、バッテリセル２０と、充放電電流を検出する充放電電流検出回路８０と、バッテリセル２０の端子間電圧を検出する電圧検出回路１８と、バッテリセル２０の温度を検出する温度センサ１９とを少なくとも有してなる。上記マイコン１０には、ビデオカメラ６０との間で通信を行うための通信回路７２と、このバッテリパック１の状態を示す情報を生成する情報生成回路７１とが内蔵されている。この構成例の情報生成回路７１では、上記バッテリパック１の状態を示す情報として、上記バッテリ残容量情報と充放電電流検出情報とバッテリセル電圧検出情報と共に温度検出情報を生成する。この情報生成回路７１からのバッテリ残容量等の情報は、通信回路７２を介してビデオカメラ６０に送られる。このバッテリパック１の詳細な構成については後述する。
【００１９】
上記バッテリパック１のプラス端子はビデオカメラ６０のプラス端子と接続され、バッテリパック１のマイナス端子はビデオカメラ６０のマイナス端子と接続され、これらプラス端子とマイナス端子を介してバッテリパック１からビデオカメラ６０に対して電源が供給される。また、バッテリパック１とビデオカメラ６０との間の情報の通信はコントロール端子（Ｃ）を介して行われる。なお、バッテリパック１のマイコン１０とビデオカメラ６０との間のコントロール端子（Ｃ）を用いた通信は、バッテリパック１側ではバッファアンプ１１及び１２とを介し、ビデオカメラ６０側ではバッファアンプ６１，６２を介して行われる。
【００２０】
上記ビデオカメラ６０は、上記コントロール端子を介してバッテリパック１から送信されてきた当該バッテリパック１の状態を示す情報（本構成例では後述するバッテリ残容量等を示す情報）を受信し、マイコン６３に取り込む。
【００２１】
マイコン６３の通信回路６５を介して受信された情報は、計算回路６６に送られ、ここで上記バッテリ残容量等の情報から例えば当該ビデオカメラ６０が使用可能な残時間（言い換えればバッテリの使用可能な残時間）等を求めるための各種の計算が行われる。なお、このビデオカメラ６０の使用可能な残時間としては、例えば撮影した映像信号をテープ等の記録媒体に記録する際の残記録時間や再生する場合の残再生時間、すなわち記録や再生時におけるビデオカメラ６０の動作可能時間等を挙げることができる。
【００２２】
表示制御回路６７は、上記計算回路６６にて求めた例えばバッテリ残時間情報に基づいて、いわゆるオンスクリーンディスプレイ（ＯＳＤ）表示、或いはビデオカメラ６０本体の表示デバイス６４の表示手段上に表示するバッテリ残時間表示信号を生成する。
【００２３】
当該表示デバイス６４は、上記表示手段として例えばビューファインダ（ＥＶＦ）１０２や液晶パネル１０１等を有してなるものであり、これら表示手段の表示画面上に上記表示制御回路６７から供給されたバッテリ残時間表示信号に基づいた表示を行う。当該表示手段上に表示されるバッテリ残時間の具体例としては、例えば図２に示すような表示例を挙げることができる。すなわちこの図２においては、バッテリ残時間の数字による時間表示１２２（図２の例では例えば４０分、英語表記の場合は４０ｍｉｎとなる）と、バッテリ満充電状態のレベルを１００％とした場合の現在のバッテリ残時間の割合を直感的に分かり易く視覚化するためのレベル表示１２１とを、表示手段の表示画面１２０上に表示した例を示している。なお、上記レベル表示１２１では、バッテリ残時間に応じて例えば４段階、或いはそれ以上、さらには無段階にレベルを変化させることが可能である。この表示デバイス６４のより詳細な構成及び動作については後述する。
【００２４】
このように本実施例システムにおいては、ビデオカメラ６０の表示デバイス６４の表示手段の表示画面上にバッテリ残時間を表示することで、当該ビデオカメラ６０の使用者にバッテリの使用可能な残時間（すなわちビデオカメラ６０の動作可能時間）を知らせることが可能となる。また、本実施例においては、上記バッテリ残時間の表示手法として、上記レベル表示１２１によるバッテリ残量表示手法を用いることで直感的で分かり易い表示を可能とし、上記時間表示１２２のような時間の分単位の表示によるバッテリ残量表示手法とを用いることでバッテリ残量表示精度を向上させている。このようなことから、当該ビデオカメラ６０の使用者は、撮影時間や再生時間等の管理が容易となる。
【００２５】
本実施例システムでは、以下に述べるバッテリ特性に基づいて、上述したようなバッテリ残時間の計算を行うようにしている。
【００２６】
例えばバッテリを一定消費電力で放電した場合において、放電時間に対する放電電流の積算量は、図３に示すグラフのように略々時間に比例している。ここで、ビデオカメラ６０の使用可能な最低電圧（バッテリ終止電圧）を定めた場合、図３においてバッテリ終止電圧の点は、放電開始と完全放電（バッテリセル２０内のエネルギが無い状態）の間に存在している。
【００２７】
また、放電時間に対する完全放電までの放電電流積算量の残量は、図４に示すグラフのようになる。この図４のグラフにおいて、バッテリ終止を原点にとり、座標軸をひくと、縦軸がバッテリ終止までの放電電流積算残量となり、横軸がバッテリ終止までの残時間となる。したがって、バッテリ終止までの放電電流積算残量がわかれば、一意的にバッテリ残時間を求めることが可能になる。
【００２８】
さらに、ビデオカメラ６０の消費電力が例えば大きい場合には、放電電流も大きくなるので、この場合の放電特性は図５に示すグラフのようになる。この図５のグラフからは、前記図４のように消費電力が小さい場合に比べて、同じ放電電流積算残量に対する残時間の割合が小さくなることがわかる。バッテリ終止時から完全放電までの放電電流積算残量に関しても、消費電力が大きい場合は、バッテリセル２０の内部インピーダンスの影響により変化する。
【００２９】
このことを数式で表すと、以下の式（１）に示すようになる。
【００３０】
Ｒ＝Ｑｄ×ｆ（Ｗ）
＝（Ｑ−ｇ（Ｗ））×ｆ（Ｗ）            （１）
なお、この式（１）中のＲはバッテリ終止までの時間（残時間）を示し、Ｑｄはバッテリ終止までの放電電流積算量を、Ｗはセット（ビデオカメラ６０）の消費電力を、ｆ（Ｗ）は係数（電力依存）を、Ｑは放電電流積算残量を、ｇ（Ｗ）はバッテリ終止時残量（電力依存）を示す。
【００３１】
この式（１）において、ｆ（Ｗ）は放電電流積算残量を残時間に変換する係数であり、消費電力に依存している。また、ｇ（Ｗ）はバッテリ終止から完全放電までの放電電流積算残量であり、消費電力に依存している。
【００３２】
また、バッテリセル２０の温度変化を考慮すると、上記式（１）は式（２）に示すような計算式となる。
【００３３】
Ｒ＝Ｑｄ×ｆ（Ｗ）×ｈ１（Ｔ）
＝（Ｑ−ｇ（Ｗ）×ｈ２（Ｔ））×ｆ（Ｗ）×ｈ１（Ｔ）          （２）
なお、この式（２）中のＴはバッテリセルの温度を、ｈ１（Ｔ）とｈ２（Ｔ）はバッテリセルの温度依存係数を示し、Ｑ，ｈ１（Ｔ），ｈ２（Ｔ）はバッテリパック１が保有し、ｆ（Ｗ），ｇ（Ｗ）はビデオカメラ６０が保有している。
【００３４】
この式（２）からは、ｆ（Ｗ）とｈ（Ｗ）にそれぞれ温度依存係数ｈ１（Ｔ），ｈ２（Ｔ）を乗じた形をとっていることがわかる。
【００３５】
また、この温度依存係数ｈ１（Ｔ），ｈ２（Ｔ）は、バッテリセルの種類によって異なる値をとる。これにより、バッテリセルの違いによる数式の違いを吸収することが可能となる。
【００３６】
さらに、上記式（１）や式（２）において、ビデオカメラ６０の使用状況によっては、上記消費電力Ｗが変化することになる。例えば消費電力がＷ１であるときのバッテリ終止までの時間Ｒ１や、消費電力Ｗ２（Ｗ１≠Ｗ２）であるときのバッテリ終止までの時間Ｒ２は、式（３），式（４）や式（５），式（６）に示すようになる。なお、式（３）及び式（４）は式（１）に対応し、式（５）及び式（６）は式（２）に対応している。
【００３７】
Ｒ１＝（Ｑ−ｇ（Ｗ１））×ｆ（Ｗ１）            （３）
Ｒ２＝（Ｑ−ｇ（Ｗ２））×ｆ（Ｗ２）            （４）
Ｒ１＝（Ｑ−ｇ（Ｗ１）×ｈ２（Ｔ））×ｆ（Ｗ１）×ｈ１（Ｔ）        （５）
Ｒ２＝（Ｑ−ｇ（Ｗ２）×ｈ２（Ｔ））×ｆ（Ｗ２）×ｈ１（Ｔ）        （６）
これら式（３）〜式（６）のように、ビデオカメラ６０の消費電力Ｗが変化した場合にも、本実施例システムでは当該消費電力変化に応じてバッテリ残量が計算されるため、ビデオカメラ６０の使用状況の変化に対応したバッテリ残時間表示が可能となる。
【００３８】
すなわち言い換えると、本実施例システムでは、ビデオカメラ６０の使用状況の種類（内容）に関係なく、消費電力のみを用いてバッテリ残時間を計算しており、当該バッテリ残時間の計算のためにビデオカメラ６０の使用状況を示す特別なパラメータを必要としていないことがわかる。このことは、上記バッテリ残時間の計算方法がビデオカメラ６０の種類に依存しない汎用性のある方法であることを示している。なお、上述したようにビデオカメラ６０の使用状況によって消費電力が変化する具体例については後述する。
【００３９】
次に、上記ビデオカメラ６０のマイコン６３が上記バッテリパック１からのバッテリ残容量等の情報に基づいてバッテリ残時間を計算する場合におけるデータの受信及び残量計算の手順について、図６のフローチャートを用いて説明する。
【００４０】
この図６において、ステップＳＴ３１では電源投入がなされたか否かの判断を行い、電源投入がなされていないときには当該ステップＳＴ３１の判断を繰り返し、電源が投入されたときにはステップＳＴ３２に進む。
【００４１】
ステップＳＴ３２では、バッテリパック１に対して通信可能か否かを判断し、通信できないときには処理を終了し、通信可能であるときにはステップＳＴ３３に進む。
【００４２】
ステップＳＴ３３では、残量計算に必要なデータとして、電流Ｉと電圧Ｖと放電電流積算残量Ｑと温度依存係数ｈ１（Ｔ）及びｈ２（Ｔ）の各データをバッテリパック１から受信する。
【００４３】
次のステップＳＴ３４では消費電力Ｗの計算を行い、ステップＳＴ３５ではｆ（Ｗ）及びｇ（Ｗ）を計算し、ステップＳＴ３６では前記式（２）や式（５），式（６）（温度変化を考慮しない場合には式（１）や式（３），式（４））を用いて、バッテリ終止までの残時間Ｒを計算する。
【００４４】
その後、ステップＳＴ３６では残量表示が可能か否かを判断し、残量表示できないときにはステップＳＴ３２に戻り、残量表示できるときにはステップＳＴ３８にて表示デバイス６４に残量表示（バッテリ残時間の表示）を行う。すなわち、上記残量表示としては、前述したようにバッテリパック１の使用可能時間（ビデオカメラ６０の使用可能時間）や、バッテリパック１の残容量（例えば前記バッテリ終止点までの残容量等）を表示する。
【００４５】
上述したようなに、図１のシステムによれば、バッテリパック１のバッテリセル２０による放電特性の違いを補正する係数を、残量の計算に用いることにより、残量計算のアルゴリズムがバッテリセルに依存せず、アルゴリズムを統一できる。また、バッテリ残容量を時間単位で表示するようにしているため、ユーザによる撮影時間の管理が可能となる。さらに、バッテリ残時間表示として、例えば４段階の前記レベル表示１２１だけでなく、例えば時間の分単位の時間表示１２２にて行うことにより、バッテリ残量表示の精度を向上させることも可能にしている。
【００４６】
次に、上記バッテリパック１の具体的構成例を図７に示す。
【００４７】
この図７において、上記バッテリセル２０の正極は当該バッテリパック１のプラス端子ＴＭ＋に、またバッテリセル２０の負極は電流検出抵抗Ｒ７を介して当該バッテリパック１のマイナス端子ＴＭ−に接続されている。
【００４８】
当該バッテリパック１に内蔵されるマイコン１０には、シリーズレギュレータやリセット回路等を含むマイコン電源１６からの電源が供給され、当該マイコン１０はこのマイコン電源１６から供給される電源により動作する。このマイコン１０の充電電流検出入力端子ＤＩ１は充電電流検出用に設けられているオペアンプ１３の出力端子と接続され、放電電流検出入力端子ＤＩ２は放電電流検出用に設けられたオペアンプ１４の出力端子と接続されている。また、マイコン１０の割り込み入力端子は、オペアンプ１３と１４の各出力端子が２つの入力端子に接続された２入力ＮＡＮＤゲート１５の出力端子と接続され、さらにこの２入力ＮＡＮＤゲート１５の出力端子は例えばプルアップ用の抵抗Ｒ８を介して電源端子と接続されている。また、マイコン１０の温度検出入力端子はバッテリセル２０の周辺温度を検出する温度センサ１９の出力端子と接続され、電圧検出入力端子はバッテリセル２０の端子電圧を検出する電圧検出回路１８の出力端子と接続され、サイクルデータ入力端子は後述する不揮発性メモリ１７の出力端子と、グランド端子はバッテリセル２０の負極と、ビデオカメラ６０との通信用の入力端子（ＳＩＮ端子）及び出力端子（ＳＯＵＴ端子）はバッファアンプ１１，１２と接続されている。なお、上記充電電流検出入力端子ＤＩ１及び放電電流検出入力端子ＤＩ２や温度検出入力端子，電圧検出入力端子等のアナログ入力がなされる端子は、全てＡ／Ｄ入力ポートであり、したがって、当該マイコン１０内にはこれらアナログ入力をディジタル変換するＡ／Ｄコンバータが内蔵されている。
【００４９】
電圧検出回路１８は、抵抗Ｒ９及びＲ１０からなる分圧抵抗であり、この分圧抵抗によりバッテリセル２０の端子間電圧を検出する。この電圧検出回路１８からの電圧検出値が、マイコン１０の上記電圧検出入力端子に供給されている。したがって、当該マイコン１０は上記電圧検出入力端子に供給された電圧検出回路１８からの電圧検出値に基づいて、バッテリセル２０の端子間電圧を知ることができる。
【００５０】
また、温度センサ１９は、例えば温度検出用サーミスタ等からなり、バッテリセル２０に近傍或いは接して配置されており、この温度センサ１９の温度検出値が上記マイコン１０の温度検出入力端子に供給されるようになっている。したがって、当該マイコン１０は、上記温度検出入力端子に供給された温度検出値に基づいて、バッテリセル２０の温度を知ることができる。
【００５１】
次に、上記オペアンプ１３の非反転入力端子は抵抗Ｒ３及び電流電圧検出用の抵抗Ｒ７を介してバッテリセル２０の負極と接続され、反転入力端子は増幅率設定用の負帰還抵抗Ｒ２並びに抵抗Ｒ１と接続されている。したがって、当該オペアンプ１３の出力端子からは、当該バッテリパック１内に流れる電流値（充電時に流れる電流値）を上記抵抗Ｒ１とＲ２の抵抗値の比（Ｒ２／Ｒ１）に応じて増幅した電圧値が出力されることになる。一方、オペアンプ１４の非反転入力端子は抵抗Ｒ６及び電流電圧検出用の抵抗Ｒ７を介してバッテリセル２０の負極と接続され、反転入力端子は負帰還抵抗Ｒ５並びに抵抗Ｒ４と接続されている。したがって、当該オペアンプ１４の出力端子からは、当該バッテリパック１内に流れる電流値（放電時に流れる電流値）を上記抵抗Ｒ４とＲ５の抵抗値の比（Ｒ５／Ｒ４）に応じて増幅した電圧値が出力されることになる。
【００５２】
トランジスタスイッチＴｒ１は例えば電界効果トランジスタからなり、ゲートがマイコン１０のスイッチング制御出力端子ＳＷ１と接続され、ドレインとソース間に上記抵抗Ｒ１が接続されている。したがって、マイコン１０のスイッチング制御出力端子ＳＷ１からの信号レベルが例えばハイ（Ｈ）レベルとなったときには、上記トランジスタスイッチＴｒ１がＯＮし、これにより上記抵抗Ｒ１による抵抗値は略々０（トランジスタスイッチＴｒ１の内部抵抗のみとなる）となり、上記抵抗Ｒ１とＲ２の抵抗値の比（Ｒ２／Ｒ１）に応じて増幅率が設定されるオペアンプ１３の当該増幅率（アンプゲイン）は大となる。一方、マイコン１０のスイッチング制御出力端子ＳＷ１からの信号レベルが例えばロー（Ｌ）レベルとなったときには、上記トランジスタスイッチＴｒ１はＯＦＦし、これにより上記オペアンプ１３の増幅率は上記抵抗Ｒ１とＲ２の抵抗値の比（Ｒ２／Ｒ１）に応じた増幅率、すなわちトランジスタスイッチＴｒ１がＯＮしているときよりも小さい増幅率（アンプゲイン）となる。同様に、トランジスタスイッチＴｒ２も例えば電界効果トランジスタからなり、ゲートがマイコン１０のスイッチング制御出力端子ＳＷ２と接続され、ドレインとソース間に上記抵抗Ｒ４が接続されている。したがって、マイコン１０のスイッチング制御出力端子ＳＷ２からの信号レベルが例えばハイ（Ｈ）レベルとなったときには上記トランジスタスイッチＴｒ２がＯＮし、これにより上記抵抗Ｒ４による抵抗値は略々０（トランジスタスイッチＴｒ２の内部抵抗のみとなる）となり、オペアンプ１４の増幅率（アンプゲイン）は大となる。一方、マイコン１０のスイッチング制御出力端子ＳＷ２からの信号レベルが例えばロー（Ｌ）レベルになったときには上記トランジスタスイッチＴｒ２はＯＦＦし、これによりオペアンプ１４の増幅率（アンプゲイン）は小となる。
【００５３】
ここで、上記マイコン１０は、通常動作モード時（Ｒｕｎ時）には常に充電電流検出入力端子ＤＩ１と放電電流検出入力端子ＤＩ２のレベルを監視しており、これら端子ＤＩ１，ＤＩ２のレベルが一定レベル以上になっているときには、上記スイッチング制御出力端子ＳＷ１及びＳＷ２の信号レベルを共にローレベルとなす。これにより、上記トランジスタスイッチＴｒ１及びＴｒ２は共にＯＦＦとなり、オペアンプ１３及び１４のアンプゲインは小となる。したがって、通常動作モード時（Ｒｕｎ時）のマイコン１０は、アンプゲインが小となされたオペアンプ１３及び１４からの出力値を用いて、当該バッテリパック１内に流れる電流値（充電時に流れる電流値又は放電時に流れる電流値）を測定可能となる。したがって、例えば充放電時に流れる電流値がわかれば、充放電電流積算値が計算できる。
【００５４】
これに対し、上記通常動作モード時（Ｒｕｎ時）にあるときに、当該バッテリパック１内に流れる充放電電流値が上記所定値以下の微少電流値になると、上記アンプゲインが小となされているオペアンプ１３及び１４からの出力値も小さくなる。すなわち上記充電電流検出入力端子ＤＩ１と放電電流検出入力端子ＤＩ２のレベルも小さくなる。このとき上記マイコン１０は、上記端子ＤＩ１，ＤＩ２のレベルが一定レベル以下になり、この状態が一定時間続いたならば、無負荷状態であると判断して省電力モード（スリープモード）に移行する。この省電力モード時には、上記通常動作モード時に比べて消費電力が小さくなり、したがって、回路の省エネルギ化が可能となる。
【００５５】
この省電力モード（スリープモード）になったときのマイコン１０は、上記スイッチング制御出力端子ＳＷ１及びＳＷ２の信号レベルを共にハイレベルとなす。これにより、上記トランジスタスイッチＴｒ１及びＴｒ２は共にＯＮになり、オペアンプ１３及び１４のアンプゲインは大となる。したがって、当該省電力モード（スリープモード）のマイコン１０は、アンプゲインが大となされたオペアンプ１３及び１４からの出力値を用いて、当該バッテリパック１内に流れる微少電流値（充電時に流れる微少電流値又は放電時に流れる微少電流値）を測定可能となる。
【００５６】
ここで、当該省電力モードになっているときに、当該バッテリパック１内に流れる充放電電流値が上記所定値以上の電流値になると、上記アンプゲインが小となされているオペアンプ１３及び１４からの出力値も共に大きくなる。すなわち、上記２入力ＮＡＮＤゲート１５の２つの入力端子のレベルは共にハイレベルとなり、したがって、当該２入力ＮＡＮＤゲート１５の出力はローレベルとなる。このように、割り込み入力端子に供給されている上記２入力ＮＡＮＤゲート１５の出力レベルがローレベルになると、上記マイコン１０は、上記省電力モードを解除して通常動作モードに移行する。
【００５７】
上述のように、図７の構成によれば、省電力モード時には通常動作モード時に比べて消費電力が小さいため、回路の省エネルギ化を図ることができる。また、図７の構成によれば、マイコン１０がスイッチング制御出力ＳＷ１，ＳＷ２にてトランジスタＴｒ１，Ｔｒ２をＯＮ／ＯＦＦ制御することにより、オペアンプ１３，１４のアンプゲインを切り換え可能となし、これにより、省電力モード時の微少電流値の検出と、通常動作モード時の電流値の測定を、上記構成で兼用可能となしている。
【００５８】
次に、不揮発性メモリ１７は、上記バッテリセル２０の使用可能な最大充放電サイクル回数のデータ（サイクルデータ）を少なくとも記憶する例えばＥＥＰ−ＲＯＭからなっている。マイコン１０は、当該不揮発性メモリ１７からの最大充放電サイクル回数のデータ（サイクルデータ）と前記電圧検出回路１８からの検出電圧に基づいて、上記バッテリセル２０の充放電サイクル回数を計測し、バッテリセル２０の充放電サイクル回数が上記最大充放電サイクル回数に達したときに、その旨のフラグを上記ビデオカメラ６０に送信するようになされている。
【００５９】
ビデオカメラ６０は、上記バッテリパック１から伝送されてきた上記フラグを受信すると、例えばバッテリパック１の交換をユーザに促すための表示を表示デバイス６４に対して行う。なお、この表示例としては、例えば「このバッテリは古くなりました、取りかえて下さい」というような表示を行う。これにより、ユーザ等は簡単にバッテリパック１の寿命を知ることが可能となる。
【００６０】
次に、前述したようにビデオカメラ６０の使用状況によって消費電力が変化する場合としては、以下のような使用状況を例に挙げることができる。
【００６１】
本実施例のビデオカメラ６０は、図８〜図１０に示すように、前記表示デバイス６４として、小型の陰極線管からなるビューファインダ１０２と、バックライト付きの液晶パネル（液晶ディスプレイ）１０１とを備えてなるものである。上記ビューファインダ１０２は、通常のビデオカメラに設けられているものと同様のものであり、撮影している映像或いはビデオテープから再生している映像等を表示するものである。また、液晶パネル１０１も基本的には上記ビューファインダ１０２と同様に、撮影している映像や再生映像等を表示する目的で設けられているものである。
【００６２】
ただし、本実施例ビデオカメラ６０に設けられている液晶パネル１０１は、図８に示すようにビデオカメラ６０本体に収納された状態と、図９に示すようにビデオカメラ６０本体から図中矢印１１１に示す方向に例えば手前９０度まで開閉可能な状態と、図中矢印１１０に示す方向に前方向に２１０度まで回転可能な状態と、を取り得るようになされている。上記液晶パネル１０１を図９の開状態から前方向に１８０度回転させた状態が図１０に示されている状態であり、以下、液晶パネル１０１をこの図１０の状態に変化させることをパネル反転と呼ぶことにする。また、図８のように液晶パネル１０１をビデオカメラ６０の本体に収納した状態をパネル閉状態と呼び、図９のように液晶パネル１０１を図中矢印１１１に示し方向に開いた状態をパネル閉状態と呼ぶことにする。本実施例のビデオカメラ６０では、上述したように液晶パネル１０１を開閉でき、また前方向への回転させることができるため、ビューファインダ１０２を見なくても例えば撮影中の映像を見ることができ、また、ビデオカメラ６０の使用の際に様々な使用の仕方を実現することができる。なお、当該液晶パネル１０１の開閉及び回転機構の具体的な構成については本発明と直接関係ないため、それらの詳細な説明については省略する。
【００６３】
本実施例のビデオカメラ６０は、上述したように表示デバイス６４としてビューファインダ１０２と液晶パネル１０１とを備えており、当該ビデオカメラ６０の使用状況によっては、例えば上記ビューファインダ１０２と液晶パネル１０１の両方を同時に使用したり、一方のみを使用したり、或いは両方とも使用しなかったりする場合がある。すなわち、本実施例のビデオカメラ６０においては、使用状況によって上記ビューファインダ１０２と液晶パネル１０１を使用したりしなかったりするため、消費電力が変化することになる。
【００６４】
本実施例のシステムでは、このようにビデオカメラ６０の使用状況によって消費電力が変化したとしても、前述したように消費電力の変化に応じてバッテリ残量が計算されるため、ビデオカメラ６０の使用状況の変化に対応したバッテリ残時間表示が可能となっている。
【００６５】
なお、本実施例のビデオカメラ６０における上記ビューファインダ１０２と液晶パネル１０１の使用状況のパターンとしては、例えば図１１に示すような各種のパターンがある。すなわち本実施例のビデオカメラ６０は、消費電力を節約するためのパワーセーブモードを有しており、当該パワーセーブモードのＯＮ／ＯＦＦによって、上記ビューファインダ１０２と液晶パネル１０１の使用／不使用（ＯＮ／ＯＦＦ）を図１１に示すように制御している。
【００６６】
この図１１において、パワーセーブモードＯＦＦのとき、上記液晶パネル１０１を開いたパネル開状態では当該液晶パネル１０１をＯＮすると共にビューファインダ（ＥＶＦ）１０２をＯＦＦにし、上記液晶パネル１０１を閉じたパネル閉状態では当該液晶パネル１０１をＯＦＦすると共にビューファインダ１０２をＯＮにし、上記液晶パネル１０１を回転させたパネル反転状態では当該液晶パネル１０１とビューファインダ１０２の両方をＯＦＦにする。すなわち、当該パワーセーブモードＯＦＦのとき、パネル開状態では当該ビデオカメラ６０の使用者がビューファインダ１０２を見ないと考えて液晶パネル１０１のみをＯＮにし、パネル閉状態では液晶パネル１０１を見ることができないのでビューファインダ１０２のみをＯＮし、パネル反転状態ではビューファインダ１０２を見る使用者の他に液晶パネル１０１を見る他者が存在すると考えて両方ともＯＮにする。
【００６７】
一方、この図１１において、パワーセーブモードＯＮのとき、パネル開状態では当該液晶パネル１０１をＯＮすると共にビューファインダ１０２をＯＦＦにし、パネル閉状態で且つビューファインダ１０２に使用者が接眼しているときには当該液晶パネル１０１をＯＦＦすると共にビューファインダ１０２をＯＮにし、パネル閉状態で且つビューファインダ１０２に使用者が接眼していないとき（離眼のとき）には当該液晶パネル１０１とビューファインダ１０２の両方をＯＦＦにし、パネル反転状態で且つビューファインダ１０２に使用者が接眼しているときには当該液晶パネル１０１とビューファインダ１０２を共にＯＮにし、パネル反転状態で且つビューファインダ１０２に使用者が接眼していないとき（離眼）には当該液晶パネル１０１のみをＯＮにする。すなわち、当該パワーセーブモードＯＮのときには、省電力化のために、パネル開状態では当該ビデオカメラ６０の使用者がビューファインダ１０２を見ないと考えて液晶パネル１０１のみをＯＮにし、パネル閉状態で且つ上記接眼状態では液晶パネル１０１を見ることができないのでビューファインダ１０２のみをＯＮし、パネル閉状態で且つ上記離眼状態では液晶パネル１０１を見ることができないと共にビューファインダ１０２も見られていないと考えて両方ともＯＦＦにし、パネル反転状態で且つ上記接眼状態ではビューファインダ１０２を見る使用者の他に液晶パネル１０１を見る他者が存在すると考えて両方ともＯＮにし、パネル反転状態で且つ上記離眼状態ではビューファインダ１０２は見られていなくて液晶パネル１０１のみが見られていると考えて当該液晶パネル１０１のみをＯＮにする。
【００６８】
上記図１１に示したようなビデオカメラ６０の使用状況パターンに応じたビューファインダ１０２と液晶パネル１０１の表示制御は、図１２及び図１３のようなフローチャートに従って行われる。
【００６９】
ここで、本実施例のビデオカメラ６０には、図１に示すように、上記液晶パネル１０１が上記パネル開状態又はパネル閉状態の何れの状態にあるのかを検出するためのパネル開閉スイッチ７９と、上記液晶パネル１０１が上記パネル反転状態になっているかを検出するためのパネル反転スイッチ７０と、上記ビューファインダ１０２を使用者が見ているか否かを検出するための接眼センサ７８とが設けられている。
【００７０】
したがって、図１２のフローチャートでは、先ず、ステップＳＴ１において、上記パネル開閉スイッチ７９の状態がＯＮ（パネル開状態）／ＯＦＦ（パネル閉状態）の何れになっているかを判定する。このステップＳＴ１において、パネル開閉スイッチ７９がＯＮとなっていると判定されたときにはステップＳＴ２に進み、このステップＳＴ２にて当該パネル開閉スイッチ７９がＯＮとなっていることを示す情報としてパネル開フラグの値を”１”に設定する。また、ステップＳＴ１において、パネル開閉スイッチ７９がＯＦＦとなっていると判定されたときにはステップＳＴ３に進み、このステップＳＴ３にて当該パネル開閉スイッチ７９がＯＦＦとなっていることを示す情報としてパネル開フラグの値を”０”に設定する。
【００７１】
次のステップＳＴ４では、上記パネル反転スイッチ７０の状態がＯＮ（パネル反転状態）／ＯＦＦ（パネル非反転状態）の何れになっているかを判定する。このステップＳＴ４において、パネル反転スイッチ７０がＯＮとなっていると判定されたときにはステップＳＴ５に進み、このステップＳＴ５にて当該パネル反転スイッチ７０がＯＮとなっていることを示す情報としてパネル反転フラグの値を”１”に設定する。また、ステップＳＴ４において、パネル反転スイッチ７０がＯＦＦとなっていると判定されたときにはステップＳＴ６に進み、このステップＳＴ６にて当該パネル反転スイッチ７０がＯＦＦとなっていることを示す情報としてパネル反転フラグの値を”０”に設定する。
【００７２】
次のステップＳＴ７では、上記接眼センサ７８がＯＮ（接眼状態）／ＯＦＦ（離眼状態）の何れになっているかを判定する。なお、上記接眼センサ７８は例えばビューファインダ１０２内部に設けられた赤外線センサであり、使用者がビューファインダ１０２に接眼しているときにはＯＮ状態となり、離眼しているときにはＯＦＦ状態となる。このステップＳＴ７において、上記接眼センサ７８がＯＮとなっていると判定されたときにはステップＳＴ８に進み、このステップＳＴ８にて当該接眼センサ７８がＯＮとなっていることを示す情報として接眼フラグの値を”１”に設定する。また、ステップＳＴ７において、接眼センサ７８がＯＦＦとなっていると判定されたときにはステップＳＴ９に進み、このステップＳＴ９にて当該接眼センサ７８がＯＦＦとなっていることを示す情報として接眼フラグの値を”０”に設定する。
【００７３】
上述したようにパネル開フラグとパネル反転フラグと接眼フラグの各値が設定されると、これら図１のビデオカメラ６０のマイコン６３内部に設けられているパネル・ＥＶＦ制御部６８に送られる。
【００７４】
当該パネル・ＥＶＦ制御部６８は、上記各フラグに基づいて図１３のフローチャートのように各部を制御する。
【００７５】
この図１３のフローチャートにおいて、先ず、ステップＳＴ１１ではパワーセーブモードが前記ＯＮ／ＯＦＦの何れのモードに設定されているか否かを判定する。なお、本実施例システムにおいて、上記パワーセーブモードを何れのモードに設定するかは、図１に示すように、例えばビデオカメラ６０のソフトキーとしてのモード入力部６９によって動作メニュー項目の中から選択することにより行われ、パワーセーブモードがＯＮのときは”１”、パワーセーブモードがＯＦＦのときは”０”の値を取るフラグ（以下、パワーセーブフラグと呼ぶ）が設定される。したがって、当該ステップＳＴ１１では、上記パワーセーブフラグの値が”１”又は”０”の何れであるかを判定する。このステップＳＴ１１の判定において、上記パワーセーブフラグの値が”１”のときはステップＳＴ１２の処理に進み、”０”のときはステップＳＴ２１の処理に進む。
【００７６】
上記パワーセーブフラグが”０”のとき、すなわちパワーセーブモードがＯＦＦになっているときに進むステップＳＴ２１では、前記パネル開フラグの値が”１”又は”０”の何れの値をとっているかを判定する。このステップＳＴ２１において、上記パネル開フラグの値が”０”と判定されたときにはステップＳＴ２４に進み、このステップＳＴ２４にて前記図１１に示したように前記液晶パネル１０２をＯＦＦにすると共に前記ビューファインダ（ＥＶＦ）１０１をＯＮにする。一方、ステップＳＴ２１において上記パネル開フラグの値が”１”と判定されたときにはステップＳＴ２２に進む。
【００７７】
このステップＳＴ２２では、パネル反転フラグの値が”１”又は”０”の何れの値をとっているかを判定する。このステップＳＴ２２において、上記パネル反転フラグの値が”０”と判定されたときにはステップＳＴ２５に進み、このステップＳＴ２５にて前記図１１に示したように前記液晶パネル１０２をＯＮにすると共に前記ビューファインダ１０１をＯＦＦにする。一方、ステップＳＴ２２において上記パネル開フラグの値が”１”と判定されたときにはステップＳＴ２３に進み、このステップＳＴ２３にて前記図１１に示したように液晶パネル１０２とビューファインダ１０１の両方をＯＮにする。
【００７８】
これに対して、上記ステップＳＴ１１にてパワーセーブフラグが”１”であると判定されたとき、すなわちパワーセーブモードがＯＮになっているときに進むステップＳＴ１２では、前記パネル開フラグの値が”１”又は”０”の何れの値をとっているかを判定する。このステップＳＴ１２において、上記パネル開フラグの値が”０”と判定されたときにはステップＳＴ１６に進み、”１”と判定されたときにはステップＳＴ１３に進む。
【００７９】
上記ステップＳＴ１２にてパネル開フラグの値が”０”であると判定されたときに進むステップＳＴ１６では、前記接眼フラグの値が”１”又は”０”の何れの値をとっているかを判定する。このステップＳＴ１６において、上記接眼フラグの値が”０”と判定されたときにはステップＳＴ１８に進み、このステップＳＴ１８にて前記図１１に示したように液晶パネル１０２とビューファインダ１０１の両方をＯＦＦにする。一方、ステップＳＴ１６において、上記接眼フラグの値が”１”と判定されたときにはステップＳＴ１７に進み、このステップＳＴ１７にて前記図１１に示したように液晶パネル１０２をＯＦＦにすると共にビューファインダ１０１をＯＮにする。
【００８０】
また、上記ステップＳＴ１２にてパネル開フラグの値が”１”であると判定されたときに進むステップＳＴ１３では、前記パネル反転フラグの値が”１”又は”０”の何れの値をとっているかを判定する。このステップＳＴ１３において、上記パネル反転フラグの値が”０”と判定されたときにはステップＳＴ１９に進み、このステップＳＴ１９にて前記図１１に示したように液晶パネル１０２をＯＮにすると共にビューファインダ１０１をＯＦＦにする。一方、ステップＳＴ１３において、上記パネル反転フラグの値が”１”と判定されたときにはステップＳＴ１４に進む。
【００８１】
このステップＳＴ１４では、前記接眼フラグの値が”１”又は”０”の何れの値をとっているかを判定する。このステップＳＴ１４において、上記接眼フラグの値が”０”と判定されたときにはステップＳＴ２０に進み、このステップＳＴ２０にて前記図１１に示したように液晶パネル１０２をＯＮにすると共にビューファインダ１０１をＯＦＦにする。一方、ステップＳＴ１４において、上記接眼フラグの値が”１”と判定されたときにはステップＳＴ１５に進み、このステップＳＴ１５にて前記図１１に示したように液晶パネル１０２とビューファインダ１０１の両方をＯＮにする。
【００８２】
上述した図１１〜図１３のように、液晶パネル１０１とビューファインダ１０２のＯＮ／ＯＦＦ制御は、具体的には以下の構成により実現されている。
【００８３】
図１に戻って、ビデオカメラ６０には、前記表示制御回路６７からの表示信号に基づいて前記ビューファインダ１０２を駆動するＥＶＦ駆動回路７３と、同じく表示制御回路６７からの表示信号に基づいて前記液晶パネル１０１を駆動するＬＣＤ駆動回路７４と、前記プラス端子とマイナス端子に接続され、上記ＥＶＦ駆動回路７３とＬＣＤ駆動回路７４に電源供給を行うＤＣ／ＤＣコンバータ７７とを備えると同時に、上記液晶パネル１０１とビューファインダ１０２のＯＮ／ＯＦＦ制御を行うための構成として、上記ＤＣ／ＤＣコンバータ７７とＥＶＦ駆動回路７３との間に設けられる切換スイッチ７５と、上記ＤＣ／ＤＣコンバータ７７と上記ＬＣＤ駆動回路７４との間に設けられる切換スイッチ７５と、前記図１１及び図１２，図１３のフローチャートに従って上記切換スイッチ７５，７６のＯＮ／ＯＦＦ制御を行う前記パネル・ＥＶＦ制御部６８とをも設けられている。
【００８４】
すなわち、本実施例のビデオカメラ６０では、上記パネル・ＥＶＦ制御部６８が、切換スイッチ７５及び７６を前記図１１〜図１３のようにＯＮ／ＯＦＦ制御することで、上記液晶パネル１０１とビューファインダ１０２の前述したようなＯＮ／ＯＦＦ制御が実現されている。
【００８５】
このように液晶パネル１０１とビューファインダ１０２のＯＮ／ＯＦＦ制御がされることで、当該ビデオカメラ６０の消費電力の変化が起こる。
【００８６】
なお、上述した説明では、バッテリパックが装着される電子機器としてビデオカメラを例に挙げたが、本発明で言う電子機器には上記ビデオカメラに限らず、携帯用電話機やパーソナルコンピュータ等の各種電子機器であって、前記バッテリ残時間等を表示可能な表示デバイスを有するものであれば、何れのものであってもよい。
【００８７】
上述した本発明の実施の形態のバッテリ残量表示機能付き電子機器では、バッテリ残容量情報と、充放電電流検出情報と、バッテリセル電圧検出情報とを出力するバッテリパックが装着され、上記バッテリパックからの上記各情報を受信する通信手段と、上記通信手段により受信された上記バッテリパックからの上記各情報に基づいて現在のバッテリ残量を計算する演算手段と、上記演算手段からの上記バッテリ残量を表示する表示手段とを有しており、また、本発明の実施の形態のバッテリ残量の表示方法では、バッテリパックに内蔵されたバッテリセルのバッテリ残容量情報と、充放電電流検出情報と、バッテリセル電圧検出情報とを上記バッテリパックからバッテリを使用する電子機器側に送信し、電子機器側では、上記送信されたバッテリ残容量情報と、充放電電流検出情報と、バッテリセル電圧検出情報とに基づいて、現在のバッテリ残量を計算により求め、計算されて得られたバッテリ残量を表示手段に表示している。すなわち、バッテリパックからのバッテリ残容量情報と充放電電流検出情報とバッテリセル電圧検出情報とを受信し、この受信した各情報に基づいて現在のバッテリ残量を計算し、その計算結果に基づいてバッテリ残量を表示する。
【００８８】
ここで、上記バッテリパックからはバッテリ残量計算のときの補正係数の情報が出力され、上記演算手段は、上記補正係数により補正されたバッテリ残量を計算することが挙げられる。上記バッテリパックのバッテリ残容量情報は、放電電流積算残量情報であり、上記演算手段により算出されるバッテリ残量はバッテリ使用の残時間であるとが挙げられる。上記表示手段には、使用可能なバッテリ残時間を示す数字及び／又はバッテリ満充電状態でのバッテリ残時間に対する割合を、上記バッテリ残量として表示するとが挙げられる。上記表示手段は、液晶パネル及び／又はビューファインダを有し、上記液晶パネル又はビューファインダの何れか一方又は両方を使用する使用モードの選択を行う選択制御手段を設けてなるとが挙げられる。
【００８９】
従って、本発明の実施の形態によれば、バッテリパックから電子機器に対してバッテリ残容量情報と充放電電流検出情報とバッテリセル電圧検出情報を送信し、電子機器側ではこれら情報に基づいてバッテリ残量を計算して表示するようにしているため、バッテリセルの種類や将来のバッテリセルであってもバッテリ残量の表示が可能となり、また、バッテリの使用可能な残時間をも表示でき、さらにバッテリ残量の表示精度も向上させることが可能である。
【００９０】
なお、本発明は上述した実施の形態のみに限定されるものではなく、本発明の要旨を逸脱しない範囲において種々の変更が可能であることは勿論である。
【図面の簡単な説明】
【００９１】
【図１】本発明の実施の形態が適用されるシステムの一構成例を示すブロック回路図である。
【図２】表示画面上に表示されるバッテリ残時間の一例を示す図である。
【図３】バッテリの放電電流積算量と時間との関係を示す図である。
【図４】バッテリの放電電流積算残量と時間との関係を示す図である。
【図５】高消費電力時のバッテリの放電電流積算残量と時間との関係を示す図である。
【図６】残量計算のアルゴリズムを示すフローチャートである。
【図７】バッテリパックの具体的構成例を示す回路図である。
【図８】液晶パネルを閉じた状態のビデオカメラの外観図である。
【図９】液晶パネルを開いた状態のビデオカメラの外観図である。
【図１０】液晶パネルを反転した状態のビデオカメラの外観図である。
【図１１】液晶パネルとビューファインダのＯＮ／ＯＦＦ制御の説明に用いる図である。
【図１２】フラグの生成フローチャートである。
【図１３】液晶パネルとビューファインダのＯＮ／ＯＦＦ制御のフローチャートである。
【符号の説明】
【００９２】
１  バッテリパック、  １０  マイコン、  １８  電圧検出回路  １９  温度センサ、  ２０  バッテリセル、  ６０  ビデオカメラ、  ６３  マイコン、  ６４  表示デバイス、  ６５  通信回路、  ６６  計算回路、  ６７  表示制御回路、  ６８  パネル・ＥＶＦ制御部、  ６９  モード入力部、  ７０  パネル反転スイッチ、  ７１  情報生成回路、  ７２  通信回路、  ７３  ＥＶＦ駆動回路、  ７４  ＬＣＤ駆動回路、  ７５，７６  切換スイッチ、  ７９  パネル開閉スイッチ、  ７８  接眼センサ、  ８０  充放電電流検出回路
【図１】
2006058292.tif 000003
【図２】
2006058292.tif 000004
【図３】
2006058292.tif 000005
【図４】
2006058292.tif 000006
【図５】
2006058292.tif 000007
【図６】
2006058292.tif 000008
【図７】
2006058292.tif 000009
【図８】
2006058292.tif 000010
【図９】
2006058292.tif 000011
【図１０】
2006058292.tif 000012
【図１１】
2006058292.tif 000013
【図１２】
2006058292.tif 000014
【図１３】
2006058292.tif 000015